(57)【要約】【課題】  男性が排尿する際に横漏れしないように男性器を位置決めする為の介護用具の提供。【解決手段】  男性器１１が左右に向くことなく正面に安定して位置するようにした介護用具８であり、下腹から股間にかけて滑らかに湾曲して延びる細長い樹脂製の部材で構成し、下端部１には男性器１１が嵌る穴２を貫通して設け、中間部３には腰に縛る為の紐を取付ける紐穴４，４を設け、そして上端部５には下腹に当たる当接部６を設けている。【選択図】    図１
2017099740.tif 000002
【特許請求の範囲】
【請求項１】
男性器が左右に向くことなく正面に安定して位置する為の介護用具において、下腹から股間にかけて滑らかに湾曲して延びる細長い樹脂製の部材で構成し、下端部には男性器が嵌る穴を貫通して設け、中間部には腰に縛る為の紐を取付ける紐穴又は連結部を設け、そして上端部には下腹に当たる当接部を設けたことを特徴とする介護用具。
【請求項２】
男性器が嵌る穴の内周にシリコンなどの柔らかい樹脂を設けた請求項１記載の介護用具。
【請求項３】
肌に接する内面側にシリコンなどの柔らかい軟質樹脂層を設けた請求項１、又は請求項２記載の介護用具。
【請求項４】
男性が排尿する場合に横漏れしないように介護用具を用いた漏れ防止構造において、該介護用具は下端部と中間部及び上端部から成る湾曲した細長い樹脂製の部材で、この細長い介護用具を下腹から股間にかけて配置し、下端部に設けた穴には男性器を嵌め、中間部を紐を介して腰に縛り付け、そして上端部に設けた当接部を下腹に当て、この状態でパンツを着用したことを特徴とする尿漏れ防止構造。
【請求項５】
上記介護用具とパンツの間に２つ折りしたパットを介在し、該パットの内側片に穴を設けて男性器の先端部を嵌めた請求項４記載の尿漏れ防止構造。
【発明の詳細な説明】
【技術分野】
【０００１】
本発明は介護を必要とする老人、身体障害者などが使用する介護用具及び介護用具を取付けて尿漏れを防止する構造に関するものである。
【背景技術】
【０００２】
近年、人の寿命は向上しているが、身体の自由が利かずして介護用のパンツを着用している老人や身体障害者は多い。すなわち、長生きしても健康が損なわれて介護を必要となる人が多い。このような老人や身体障害者は一人でトイレに行くことが出来ずして、着用したパンツ（おむつ）に排尿し、介護している人が時々汚れたパンツを取り換えるようにしている。しかし、排尿にてパンツが汚れるだけであれば問題はないが、パンツから漏れてパジャマや布団が汚れてしまうといった事態になる。
【０００３】
図５は従来から使用されている一般的な介護用パンツ（おむつ）を示す具体例であり、大きさは違うが基本的な形態は子供用パンツ（赤ちゃん用おむつ）と同じであり、上部には腰部が嵌る胴穴（イ）を有し、下部の両側には脚が嵌る脚穴（ロ）、（ロ）を設けている。したがって、簡単に着用することが出来また脱ぐことも可能である。そこで、排出される尿を即座に吸収することが出来る材料を用いて該パンツを構成している。そして、上記胴穴（イ）の大きさは伸縮可能であって簡単に着用出来、同じく脚穴（ロ）、（ロ）の大きさも伸縮できるように成って、尿漏れを抑制できる構造としている。
【０００４】
ところで、この介護用パンツは男性用と女性用は共通しており、その為に男性が着用する場合には該パンツから横漏れを生じてパジャマのズボンが濡れたり、時には敷き布団が濡れるといったことが多発する。男性の場合、男性器は上記パンツを着用しても、中央に位置していることは少なく、何れかの方向（左側又は右側）を向いて片寄った状態にある。
このような状態にある男性器から尿が排出されるならば、着用しているパンツから外へ漏れる場合が多い。
【０００５】
脚が嵌る脚穴（ロ）は伸縮出来るように、その周囲にはゴム紐が縫い付けられていたり、伸縮可能な生地で構成しているが、該脚穴（ロ）に嵌っている脚との隙間から尿が漏れる。これに対して、女性の場合には横漏れする心配は少ない。
その為に、男性は複数枚のパンツを重ね合せて着用することで横漏れに対処しているのが実情である。
しかし、一度に複数枚を重ね合せて着用するには、横漏れを抑制する効果は多少あるが、着用した状態が窮屈であると共に使用するパンツの費用が嵩んでしまう。
【０００６】
実用新案登録第３１４６０４９号に係る「男性用尿パッド及び男性用尿パッドの取付構造」は尿漏れを防止し、男性器の大便による汚れを防止し、また蒸れ、汗疹、かぶれ等を軽減し、取替えも容易で衣類や寝具を汚すこともなく、本人はもとより介護者も楽に対応できる男性用尿パッドである。
すなわち、この尿パッドは通水性を有する表面シートと、非通水性を有する裏面シートと、表面シートと裏面シートとの間に挿入された吸水部材からなる吸収シートとを備える。表面シート及び裏面シートは平面略楕円形に形成され、シートの外周縁が接合されて男性器の挿入口が形成され、挿入口にギャザー加工が施され、挿入口の大きさが弾性部材、テープ又は紐等の調節部材により調節され、全体形状が平面略楕円形に形成されている。
【０００７】
実用新案登録第３１３１７４３号に係る「男性用尿漏れ防止付分離型おむつ」は、排尿時及び排便時、弱粘性テープを各部位に別々に取替えられるような形態を設け、介護人がいなくても自分一人ででも各部位交換可能なおむつである。
すなわち、特に排尿時に尿吸収パット前部と陰茎部固定パットにある陰茎部固定切り込みに陰茎を挟み、固定テープでおむつからのズレを防ぎ横漏れ防止ギャザーの収縮により体にフィットし、前部ズレ防止テープで下着に固定する。そして後部パットとの分離と接合は前部後部テープの分離と接合が簡単な新テープと固定テープの部分にも同じ接着剤を使い、完璧な分離と接合を行い、後部ズレ防止テープにより下着に固定し、ズレを防ぎ要介護人又は非介護人であっても交換可能な男性用尿漏れ防止付分離型おむつである。
【特許文献１】実用新案登録第３１４６０４９号に係る「男性用尿パッド及び男性用尿パッドの取付構造」
【特許文献２】実用新案登録第３１３１７４３号に係る「男性用尿漏れ防止付分離型おむつ」
【発明の開示】
【発明が解決しようとする課題】
【０００８】
このように、介護用パンツは色々知られており、横漏れを防止することが出来るパンツ（おむつ）も存在している。本発明は従来のパンツ（おむつ）とは異なり、男性器が横向かないように拘束することが出来る介護用具及び該介護用具を取付けて尿漏れを防止する構造を提供する。
【課題を解決するための手段】
【０００９】
本発明に係る介護用具は男性を対象としたものであり、男性器が横向くことがないように、また横ズレすることがないように拘束することが出来る形態としている。すなわち、下腹から股間に延びる部材で、下端部と中間部、及び上端部から成り、上記下端部には男性器が挿入する穴が貫通している。ここで、該穴の形状は限定せず、例えば円形、長円形、楕円形、又は下端を開口した長穴としている。そして、中間部には腰紐が連結して腰に縛り付けて取付けることが出来るようにしている。
【００１０】
ここで、該介護用具は樹脂製とし、又は少なくとも男性器が嵌る穴の部分はシリコンなどの柔らかい軟質樹脂を用いて構成される。そして、ストレートではなく全体が弓のように湾曲して下腹から股間にかけて馴染むことが出来る形状としている。
ところで、該介護用具を身体に取付けた状態で従来のパンツを着用するが、介護用具とパンツの間に尿を吸収する為のパットを介在することも出来る。この際、該パットを２つ折りとして間に挟み込み、内側片に穴を開けて男性器の先端部を挿入する。
【発明の効果】
【００１１】
本発明に係る介護用具は、自分でトイレに行くことが出来ない身体の不自由な男性が着用することが出来る。該介護用具の下端部に設けた穴に男性器を挿入し、この状態で紐を介して腰に締めて着用する。従って、男性器は位置決めされて左側又は右側に向くことなく中央を向いて位置することが出来、この状態でパンツを着用するならば、排出される尿が該パンツから外へ漏れだすことはない。
【００１２】
したがって、着用しているパジャマのズボンや敷き布団が濡れることなく、時々パンツだけを取り換えることで済む。その為に、介護する人の手間は省かれ、楽に介護することが出来る。また、本発明の上記介護用具と着用したパンツの間に２つ折りしたパットを入れるならば、排出される尿は該パットに吸収されるために、時々パットを取り換えることでパンツを交換する必要はなく、さらに楽であると共に経済的である。
【図面の簡単な説明】
【００１３】
【図１】本発明に係る介護用具を示す具体例。
【図２】介護用具の下端部穴の周囲にシリコン樹脂を設けた場合。
【図３】介護用具を取付けて、尿漏れを防止した構造を示す具体例。
【図４】本発明に係る介護用具を示す他の具体例。
【図５】従来から使用されている介護用パンツ。
【発明を実施するための形態】
【００１４】
図１は本発明に係る介護用具を示す実施例である。該介護用具は同図に示すごとく、滑らかに湾曲した細長い部材であり、その材質を樹脂製とし、下端部１には概略楕円形の穴２を貫通して設け、中間部３には細長い紐穴４，４が対を成して設けられ、上端部５は幅広とした当接部６を有している。
この介護用具は下腹から股間にかけて延びるように取付けられ、その為に体形に合うように弓形に湾曲した形状としている。
【００１５】
上記中間部３に設けている細長い紐穴４，４に紐を通して腰に縛り、この場合、上端部５に設けている当接部６は下腹に当たり、その反力によって下端部１は股間から離れることなく密着状態となる。そして、下端部１に貫通した概略楕円形の穴２には男性器を挿入する。同図に示す下端部１の穴２は概略楕円形としているが、円形とする場合もあり、その形状に関しては特に限定しない。
ただし、一般には男性器を手で摘んで嵌るように楕円形又は長穴の方が適している。また、上端部５の当接部６の形状も自由である。
【００１６】
本発明の介護用具は樹脂製としているが、上記穴２には男性器が嵌るために肌当りを良好にするように、例えば図２に下端部１を示しているように、穴２の内周にはシリコン７などの柔らかい樹脂を設けている。また介護用具の内側面も肌当りを良くする為に軟質樹脂層を設けることが出来る。勿論、介護用具全体を軟質樹脂で構成することも出来る。
【００１７】
図３は上記介護用具８を身体９に取付けてパンツ１０を着用した状態の縦断面図を示している。介護用具８を取付けた場合、下端部１に設けた穴２に男性器１１を挿入することで男性器１１は該穴２から突出する。そして、介護用具８の表側にはパット１２を当て、この状態でパンツ１０を着用している。
ここで、上記パット１２は下端を繋ぎとして２つ折りされて内側片１３と外側片１４を有し、内側片１３には穴１５を設けてこの穴１５に男性器１１の先端部を挿入している。
【００１８】
ところで、上記介護用具８の下端部穴２に嵌った男性器１１は横向くことなく正面を向いて位置決めされ、そして２つ折りした上記パット１２の内側片１３に設けた穴１５に男性器１１が嵌められる。したがって、男性器１１の先端部は２つ折りしたパット１２の内側片１３と外側片１４によって包み込まれ、その為に尿がパット１２から漏れることはない。さらに、該パット１２の上からパンツ１０を着用することで、該パンツ１０からの尿漏れは完全に抑えることが出来る。
ここで、パット１２の内側片１３に設けられる穴１５は円形である必要はなく、所定長さのスリットでもよく、このスリットを開いて男性器１１の先端部を挿入することが出来る。
【００１９】
図４は本発明に係る介護用具１６を示す他の実施例である。この介護用具１６の場合も滑らかに湾曲した部材であり、下端部１７には下端を開口した長穴１８を有し、中間部１９には２個の細長い紐穴２０，２０を対を成して設けている。そして、上端部２１には幅広とした当接部２２を形成している。
ところで、該介護用具１６の取付け方は前記図１に示した介護用具８と同じであり、中間部１９に設けた紐穴２０，２０に紐２３を通して腰に縛ることが出来る。
【００２０】
下端部１７に設けた長穴１８に男性器１１を嵌めて上記紐穴２０，２０に通した紐２３を介して図３に示すように腰に縛り、従って長穴１８に嵌った男性器１１は左右に向くことなく正面に向いて安定する。そして、介護用具１６の正面にパット１２を重ね、該パット１２の内側片１３に形成した穴１５に男性器１１の先端部を嵌めてパンツ１０を着用する。
【符号の説明】
【００２１】
１   下端部
２   穴
３   中間部
４   紐穴
５   上端部
６   当接部
７   シリコン
８   介護用具
９   身体
10   パンツ
11   男性器
12   パット
13   内側片
14   外側片
15   穴
16   介護用具
17   下端部
18   長穴
19   中間部
20   紐穴
21   上端部
22   当接部
23   紐
【図１】
2017099740.tif 000003
【図２】
2017099740.tif 000004
【図３】
2017099740.tif 000005
【図４】
2017099740.tif 000006
【図５】
2017099740.tif 000007